【事件の表示】
　特願２００１−１１５３４２「ユニット式建物」拒絶査定不服審判事件〔平成１４年１０月２３日出願公開、特開２００２−３０９６７８〕について、次のとおり審決する。
【結　論】
　本件審判の請求は、成り立たない。
【理　由】
第１　手続の経緯  
　本願は，平成１３年４月１３日の出願であって，平成２３年５月２日付けで拒絶査定がなされ，これに対し，同年６月７日付けで拒絶査定に対する審判請求がなされるとともに，同時に手続補正がなされたものである。 
　その後，同年９月７日付けで，審判請求人に前置報告書の内容を示し意見を求めるための審尋を行ったところ，同年１１月４日付けで回答書が提出された。 
　
 　  
第２　補正の却下の決定  
［補正の却下の決定の結論］  
　平成２３年６月７日付けの手続補正を却下する。  
 　 
［理由］ 　 
１．補正の内容 
　平成２３年６月７日付けの手続補正（以下，「本件補正」という。）は，特許請求の範囲の請求項１を，次のように補正しようとする補正事項を含むものである。（補正前，平成２３年１月７日付けの手続補正書参照。） 
「【請求項１】上下に積層される上階ユニットおよび下階ユニットを含む複数の建物ユニットで構成され，下階部分には前記下階ユニットの側面にピロティ状空間が形成され，このピロティ状空間の上部に屋根構造が形成されたユニット式建物であって，前記ピロティ状空間に面した下階ユニットの上部に上階ユニットが設置され，この上階ユニットの床部に，ピロティ状空間側に水平に延びる前記ピロティ状空間の上部を覆うピロティパネルが取り付けられ，前記ピロティパネルの建物屋外側の下面には，ピロティパネルを下側から支持するポーチ柱が設置され，このピロティパネルによって前記屋根構造が支持されるとともに，前記屋根構造は，上階ユニットの上部と前記ピロティパネルの屋外側端縁とに設けられる屋根受け具により支持されることを特徴とするユニット式建物。」
　
　上記補正事項は，請求項１に係る発明を特定するために必要な事項である「ピロティパネル」について「ピロティパネルの建物屋外側の下面には，ピロティパネルを下側から支持するポーチ柱が設置され」と限定し，「屋根構造」について「屋根構造は，上階ユニットの上部とピロティパネルの屋外側端縁とに設けられる屋根受け具により支持される」と限定したものと認められるから，本件補正は，少なくとも，平成１８年法律第５５号改正附則第３条第１項によりなお従前の例によるとされる同法による改正前の特許法第１７条の２第４項第２号の特許請求の範囲の減縮を目的とする補正事項を含むものである。 
 　 　  
　そこで，本件補正後の上記請求項１に係る発明（以下，「補正発明」という。）が特許出願の際独立して特許を受けることができるものであるか，すなわち，平成１８年法律第５５号改正附則第３条第１項によりなお従前の例によるとされる同法による改正前の特許法第１７条の２第５項において準用する同法第１２６条第５項に規定する要件を満たしているか，について以下に検討する。 　 　　 
 　  
２．独立特許要件違反（特許法第２９条第２項違反）  
２−１．引用刊行物  
（１）刊行物１  
　本願出願前に頒布された刊行物である，特開２０００−３３６７５４号公報（以下，「刊行物１」という。）には，以下の記載がある（下線は当審にて付与。）。
（１ａ）「【請求項１】　
ユニット建物の上階ユニットの一部を構成すると共に，前記ユニット建物の下階ユニットの上からオーバーハングするようにして組立てられるスペースユニット
　
（１ｂ）「【０００９】図１中，
１１は全体的形状が直方体をなす標準の建物ユニットであって，その６個が組合わされて一階部分を構成し
二階部分はこの標準建物ユニット１１の５個と
傾斜天井スペースユニット１４の１個とから構成されている。
　
（１ｃ）「【００１０】傾斜天井スペースユニット１４について更に詳述すると，この傾斜天井スペースユニット１４は，基本的に，直方体を一方の上部エッジ部分から対角線状に斜め下方の下部エッジ部分に向けて斜めにカットした形状をなしている。図４は，この傾斜天井スペースユニット１４の基本骨格を示すもので，四角枠状の底枠部１５と，その一辺である第１の下梁１６の両端に立設された一対の柱１７と，この一対の柱１７の上端間を連結固定する上梁１８と，前記第１の下梁１６と対向する第２の下梁１９の両端と前記一対の柱１７の上端間とをそれぞれ連結固定する傾斜梁２０とからなっている。・・・」
　
（１ｄ）「【００１４】
図３は前記傾斜天井スペースユニット１４の他の使用例を概略的に示すものであるが，この場合，前記傾斜天井スペースユニット１４は，その底面１４ｂ全体が一階部分の標準建物ユニット１１からはみ出し，その外側両端部が一対のポール２３により支えられ，その内側側面が二階ユニット１１の１側と連通するようにして接合されている。従って，傾斜天井スペースユニット１４の下階ユニット１１からオーバーハング部分が大きくなり，車庫あるいは玄関部の庇の役目を果たすことができる。
　
（１ｅ）
　【図３】
　
 　 
　記載（１ｄ），（１ｅ）からみて，「車庫あるいは玄関部」は底面１４ｂの下部であって，傾斜天井スペースユニット１４が接合された二階の標準建物ユニット１１の下部の，一階の標準建物ユニット１１の側面に形成されていると認められ，傾斜天井スペースユニット１４は，外側両端部の下面が一対のポール２３により支えられていると認められる。さらに，記載（１ｂ），（１ｅ）からみて，二階の標準建物ユニットは一階の標準建物ユニット１１の上に積み上げられていると認められる。
　そうすると，上記記載（１ａ）〜（１ｅ）からみて，刊行物１には，以下の発明が記載されていると認められる（以下，「刊行物１記載の発明」という。）。  
「複数の一階と二階の標準建物ユニット１１と，傾斜天井スペースユニット１４で構成されるユニット建物であって，
　二階の標準建物ユニットは一階の標準建物ユニット１１の上に積み上げられ，
　傾斜天井スペースユニット１４は，底面１４ｂ全体が一階の標準建物ユニット１１からはみ出し，外側両端部の下面が一対のポール２３により支えられ，内側側面が二階の標準建物ユニット１１の１側と連通するように接合されて，当該接合された二階の標準建物ユニット１１の下部の一階の標準建物ユニット１１の側面に形成される車庫あるいは玄関部の庇の役目を果たす，
ユニット建物。」　 
 　　 
（２）刊行物２
　本願出願前に頒布された刊行物である，特開２０００−１５４５９８号公報（以下，「刊行物２」という。）には，図面と共に，以下の記載がある（下線は当審にて付与。）。
（２ａ）「【請求項１】　間にオープンスペースを形成して複数の建物ユニットを配置するとともに前記オープンスペースを上方から覆って屋根パネルを設けるユニット式建物における屋根パネルの施工方法であって，　
前記オープンスペースを覆う軒天パネルを備え，　
この軒天パネルを前記オープンスペースの上方を覆って前記建物ユニットに取り付け，
その後，前記屋根パネルを前記軒天パネルに取り付けることを特徴とするユニット式建物における屋根パネルの施工方法
【請求項２】　請求項１記載のユニット式建物における屋根パネルの施工方法において，前記
軒天パネルは枠組みを備えて形成され，この枠組みの上面には前記屋根パネルを支持する屋根パネル支持具が設けられ，下面には軒天材が貼付けられている
　
（２ｂ）「【００１３】
【発明の実施の形態】以下に本発明の実施形態を図面に基づいて説明する。　図１〜６には，本発明の第１の実施形態が示されている。図１に示すように，軒天パネル１を取付けたユニット式建物２は，複数個の下階および上階建物ユニット３，４を平面コ字形となるように配置するとともに，それらの建物ユニット３，４の上に傾斜する屋根パネル５等を組合わせて構成されている。・・・そして，前記コ字形で囲まれた部分はオープンスペース７とされ，このオープンスペース７内には，上階建物ユニット４用の階段ユニット３０が設置されるとともに，
オープンスペース７の上部を塞ぐ軒天パネル１が建物ユニット４，４に跨がって，かつ，Ａ支持部８とＢ支持部９とで支持されて設けられている
【００１４】図２に示すように，
軒天パネル１は，長辺梁１０Ａ，短辺梁１０Ｂおよび小梁１１で形成された枠組みであるパネル本体１０と，このパネル本体１０の上面四隅に設けられた取付けブラケット１２，取付けプレート１３，および，パネル本体１０の前記取付けブラケット１２を取付けた長辺梁１０Ａに設けられた屋根パネル受け支持具１４とを備えて構成され，パネル本体１０の下面には，板状の軒天材１５が貼付けられている。
　
（２ｃ）「【００１６】屋根パネル受け支持具１４は，長辺梁１０Ａに固着される底辺部１４Ａと，そこから立ち上がる垂直部１４Ｂと，屋根の傾斜と等しい傾きの傾斜部１４Ｃとを有して形成されており，図６に示すように，傾斜部１４Ｃの上面で屋根パネル５を支持するようになっている。
【００１７】図３には，軒天パネル１の取付け部の詳細が示されている。軒天パネル１は，取付けブラケット１２が建物ユニット４の柱２０に支持され，接合プレート１３は，３つの建物ユニット４Ａ，４Ｂ，４Ｃの３本の柱２０に支持されている。すなわち，取付けブラケット１２のあるＡ支持部８では，図５に示すように，リブ２１で補強された断面略Ｌ字形状のブラケット２２が建物ユニット４Ａの柱２０に取付けられており，このブラケット２２の水平部にピン２３が立設されている。このピン２３には前記取付けブラケット１２のピン孔１２Ａが係合可能となっている。・・・」
　
（２ｄ）「【００１９】このような軒天パネル１をユニット式建物２に取付けるには次のような手順で行う。まず，
工場で，長辺梁１０Ａ ，短辺梁１０Ｂ 等で枠組みしたパネル本体１０を形成する。このパネル本体１０の四隅には取付けブラケット１２および取付けプレート１３を取付け，上面には屋根パネル受け支持具１４を取付け，さらに，下面に軒天材１５を貼付けて軒天パネル１を形成する
【００２０】この軒天パネル１を，他の建物ユニット４等とともに建設現場に輸送し，そこで建物ユニット４等を適宜組合わせる。この際，建物ユニット４等を平面コ字形となるように配置する。上下階建物ユニット４，３が組合わされ，階段ユニット３０等も設置されたら，軒天パネル１をオープンスペース７内に配置し，Ａ支持部８およびＢ支持部９で支持させて設置する。この際，Ａ支持部８では，建物ユニット４の柱２０に取付けたブラケット２２のピン２３に，取付けブラケット１２のピン孔１２Ａを差し込み，Ｂ支持部９では，３つの建物ユニット４Ａ，４Ｂ，４Ｃのそれぞれの柱２０のピン２５，２６，２７に取付けプレート１３の３つのピン孔１３Ａ，１３Ｂ，１３Ｃに差し込んで取付け，固定装置で固定して軒天パネル１を設置する。次いで，屋根パネル５を，軒天パネル１の屋根パネル受け支持具１４および建物ユニット４Ａに取付けてある図示しない屋根パネル受け支持具等に支持させて取付ける。」
　
（２ｅ）「【００２２】また，軒天パネル１の取付けプレート１３は隣合う上階建物ユニット４Ａ，４Ｂ，４Ｃ等を連結する接合プレートの役割りを兼ねているので，接合プレートを別途準備しなくてもよく，その分，材料費や製作費等を節約できる。さらに，
軒天パネル１は四隅で支持されているので，安定しているとともに，十分な強度を有しており，屋根パネル５が屋根パネル受け支持具１４に載せられても確実に支持できる。
　
（２ｆ）
　【図１】
　
 　　 
２−２．補正発明と刊行物１記載の発明との対比  
　刊行物１記載の発明と補正発明とを対比すると， 
刊行物１記載の発明の「ユニット建物」は，補正発明の「ユニット式建物」に相当し，以下同様に，
「二階の標準建物ユニット１１」は，「上階ユニット」及び「建物ユニット」に，
「一階の標準建物ユニット１１」は，「下階ユニット」及び「建物ユニット」に，
「一階のユニット１１の側面に形成される車庫あるいは玄関部」は庇の下部であるから，「下階ユニットの側面」に形成される「ピロティ状空間」に，
「外側両端部の下面」は，「建物屋外側の下面」に，
「ポール２３」は，「ポーチ柱」に，
それぞれ相当する。
　ここで，刊行物１記載の発明は「二階の標準建物ユニットは一階の標準建物ユニット１１の上に積み上げられ」ていることから，補正発明の「上下に積層される上階ユニットおよび下階ユニット」に相当する構成を備えていると認められる。
　また，刊行物１記載の発明の「傾斜天井スペースユニット１４」と，補正発明の「ピロティパネル」，「屋根構造」及び「屋根受け具」は，「ピロティ上部構造」である点で共通し，
刊行物１記載の発明の「傾斜天井スペースユニット１４は，底面１４ｂ全体が一階の標準建物ユニット１１からはみ出し，外側両端部の下面が一対のポール２３により支えられ，内側側面が二階のユニット１１の１側と連通するように接合されて，当該接合された二階の標準建物ユニット１１の下部の一階の標準建物ユニット１１の側面に形成される車庫あるいは玄関部の庇の役目を果たす」との構成と，
補正発明の「ピロティ状空間の上部に屋根構造が形成されたユニット式建物であって，ピロティ状空間に面した下階ユニットの上部に上階ユニットが設置され，この上階ユニットの床部に，ピロティ状空間側に水平に延びるピロティ状空間の上部を覆うピロティパネルが取り付けられ，ピロティパネルの建物屋外側の下面には，ピロティパネルを下側から支持するポーチ柱が設置され，ピロティパネルによって屋根構造が支持されるとともに，屋根構造は，上階ユニットの上部とピロティパネルの屋外側端縁とに設けられる屋根受け具により支持される」との構成とは，
「ピロティ状空間の上部に屋根構造が形成されたユニット式建物であって，ピロティ状空間に面した下階ユニットの上部に上階ユニットが設置され，この上階ユニットに屋根構造を含むピロティ上部構造が取り付けられ，ピロティ上部構造の建物屋外側の下面には，ピロティ上部構造を下側から支持するポーチ柱が設置される」点で共通している。
 　 
　したがって，刊行物１記載の発明と補正発明は以下の点で一致している。
「上下に積層される上階ユニットおよび下階ユニットを含む複数の建物ユニットで構成され，下階部分には前記下階ユニットの側面にピロティ状空間が形成され，このピロティ状空間の上部に屋根構造が形成されたユニット式建物であって，前記ピロティ状空間に面した下階ユニットの上部に上階ユニットが設置され，この上階ユニットに屋根構造を含むピロティ上部構造が取り付けられ，ピロティ上部構造の建物屋外側の下面には，ピロティ上部構造を下側から支持するポーチ柱が設置されるユニット式建物。」 
　
　そして，下記の点で相違している。  
＜相違点＞
　ピロティ上部構造が，
　補正発明では，「ピロティパネル」，「屋根構造」及び「屋根受け具」であって，「上階ユニットの床部に，ピロティ状空間側に水平に延びるピロティ状空間の上部を覆うピロティパネルが取り付けられ，ピロティパネルの建物屋外側の下面には，ピロティパネルを下側から支持するポーチ柱が設置され，このピロティパネルによって屋根構造が支持されるとともに，屋根構造は，上階ユニットの上部と前記ピロティパネルの屋外側端縁とに設けられる屋根受け具により支持される」ものであるのに対し，
　刊行物１記載の発明では，「傾斜天井スペースユニット１４」であって，「底面１４ｂ全体が一階の標準建物ユニット１１からはみ出し，外側両端部の下面が一対のポール２３により支えられ，内側側面が二階のユニット１１の１側と連通するように接合され」るものである点。
 　 
２−３．判断  
　刊行物２には，記載（２ａ）からみて，「オープンスペースを覆う軒天パネルを備え，軒天パネルをオープンスペースの上方を覆って建物ユニットに取り付け，屋根パネルを軒天パネルに取り付けたユニット式建物における屋根パネルの施工方法」が記載されており，軒天パネルをオープンスペースの上方を覆って建物ユニットに取り付けることにより，ピロティ状空間が形成されているといえる。また，記載（２ｂ）の「軒天パネル１は，長辺梁１０Ａ，短辺梁１０Ｂおよび小梁１１で形成された枠組みであるパネル本体１０と，このパネル本体１０の上面四隅に設けられた取付けブラケット１２，取付けプレート１３，および，パネル本体１０の前記取付けブラケット１２を取付けた長辺梁１０Ａに設けられた屋根パネル受け支持具１４とを備えて構成され，パネル本体１０の下面には，板状の軒天材１５が貼付けられている。」との点，及び，記載（２ｅ）の「軒天パネル１は四隅で支持されているので，安定しているとともに，十分な強度を有しており，屋根パネル５が屋根パネル受け支持具１４に載せられても確実に支持できる。」との点からみて，「軒天パネル１」はパネル本体１０により屋根構造を支持していると認められるから補正発明の「ピロティパネル」に相当し，「軒天パネル１の屋根パネル受け支持具１４」も屋根構造を支持していると認められるから，「ピロティパネルの屋外側端縁に設けられる屋根受け具」に相当する。
　刊行物１記載の発明も刊行物２のユニット式建物も共にユニットを用いた建物でありながら，ユニットのフレーム内をピロティとするのではなく，ユニットのフレーム外にピロティ状空間を形成するものであって，ピロティ上部構造を，刊行物１記載の発明のように，傾斜天井スペースユニットで構成するか，刊行物２のユニット式建物のように，軒天パネルと屋根パネルにより構成するかは，当業者が必要に応じて適宜選択しうる事項と認められるから，刊行物１記載の発明の傾斜天井スペースユニットに代えて，刊行物２の軒天パネルと屋根パネル等を採用することは当業者が容易に想到したことである。そして，刊行物１記載の発明の，傾斜天井スペースユニット１４の内側側面が二階のユニット１１の１側と連通するように接合され，外側両端部の下面が一対のポール２３により支えられている構成において，傾斜天井スペースユニット１４に代えて刊行物２の軒天パネルと屋根パネルを採用するに際しては，軒天パネルは二階のユニット１１の下方に位置することは明らかであるうえ十分な強度を有しているから，軒天パネルを上階ユニットの床部に水平に取り付けるとともにポーチ柱により下側から支持して，軒天パネルにより屋根構造を支持することは当業者が適宜なし得たことであり，屋根パネルの上端は二階のユニット１１の上方に位置することも当然に想定されるから，上階ユニットの上部に屋根受け部により取り付けた屋根構造とすることも，当業者が適宜なし得たことである。
　
　そして，補正発明の作用効果は，刊行物１および２記載の発明から予測できる程度のものである。 
 　 
　したがって，補正発明は，刊行物１および２記載の発明に基づいて当業者が容易に発明をすることができたものであるから，特許法第２９条第２項の規定により特許出願の際独立して特許を受けることができないものである。  
 　  
３．補正の却下の決定のむすび  
　以上より，本件補正は，平成１８年法律第５５号改正附則第３条第１項によりなお従前の例によるとされる同法による改正前の特許法第１７条の２第５項において準用する同法第１２６条第５項に規定する要件を満たしていないものであるから，同法第１５９条第１項において読み替えて準用する同法第５３条第１項の規定により却下すべきものである。 　  
　よって，［補正の却下の決定の結論］のとおり決定する。  
 　  
 　  
第３　本願発明  
１．本願発明 
　平成２３年６月７日付けの手続補正は却下されたので，本願の請求項１〜７に係る発明は，平成２３年１月７日付けで手続補正された請求項１〜７に記載された事項により特定されるとおりのものと認められ，そのうち，請求項１に係る発明は，以下のとおりのものである。 
 「【請求項１】上下に積層される上階ユニットおよび下階ユニットを含む複数の建物ユニットで構成され，下階部分には前記下階ユニットの側面にピロティ状空間が形成され，このピロティ状空間の上部に屋根構造が形成されたユニット式建物であって，前記ピロティ状空間に面した下階ユニットの上部に上階ユニットが設置され，この上階ユニットの床部に，ピロティ状空間側に水平に延びる前記ピロティ状空間の上部を覆うピロティパネルが取り付けられ，このピロティパネルによって前記屋根構造が支持されていることを特徴とするユニット式建物。」（以下，請求項１に係る発明を「本願発明」という。） 　  
　
２．引用刊行物 
（１）刊行物１
　原査定の拒絶の理由に引用され，本願出願前に頒布された，上記刊行物１には，「第２　２．２−１．（１）」に記載したとおりの発明が記載されているものと認められる。 
　
（２）刊行物２
　原査定の拒絶の理由に引用され，本願出願前に頒布された，上記刊行物２には，「第２　２．２−１．（２）」に記載したとおりの発明が記載されているものと認められる。 
 　 
３．対比・判断 
　本願発明は，前記「第２」で検討した補正発明から，「ピロティパネル」の限定事項である「ピロティパネルの建物屋外側の下面には，ピロティパネルを下側から支持するポーチ柱が設置され」との構成と，「屋根構造」の限定事項である「屋根構造は，上階ユニットの上部とピロティパネルの屋外側端縁とに設けられる屋根受け具により支持される」との構成を省いたものである。
　そうすると，本願発明を特定するために必要な事項を全て含み，さらに他の事項を付加したものに相当する補正発明が，前記「第２　２．２−３．」に記載したとおり，刊行物１および２記載の発明に基づいて当業者が容易に発明をすることができたものであるから，本願発明も，同様の理由により，刊行物１および２記載の発明に基づいて当業者が容易に発明をすることができたものであり，特許法第２９条第２項の規定により特許を受けることができない。 
 　 
　
　ここで，以上では本件補正が補正前の請求項１に係る発明を限定したものとして検討したが，本件補正が補正前の請求項１および２に係る発明を削除し，請求項３に係る発明を請求項１の補正発明としたものとして検討したとしても，補正発明は上記の「第２」で検討したように，刊行物１および２記載の発明に基づいて当業者が容易に発明をすることができたものであるから，特許法第２９条第２項の規定により特許を受けることができないものである。
 　 
　
第４　むすび  
　以上のとおり，本願発明は特許を受けることができないから，本願の他の請求項に係る発明について検討するまでもなく，本願は拒絶すべきものである。
　 
　よって，結論のとおり審決する。